(57)【要約】【課題】確実に遮蔽性または気密性を発揮することができるブラインドとする。【解決手段】ラダーコード１２の各中段コード１２ｃには上下２枚のスラット１４、１５が重ねて支持されており、上下のスラット１４、１５はそれぞれ異なる曲率を有しており、スラット１４、１５の接触面積は小さく設定されている。ラダーコード１２の前後の垂直コード１２ａ、１２ｂが相対的に上下動することによりスラット１４、１５の傾斜が可変となっており、スラット１４、１５が傾斜したときに、一方のスラット１４が他方のスラット１５に対して円滑に滑り落ちることができるようになっている。【選択図】  図２
2004278075.tif 000002
【特許請求の範囲】
【請求項１】
ラダーコード（１２）によって複数のスラット（１４、１５）が上下方向に整列状態に支持され、ラダーコード（１２）の前後の垂直コード（１２ａ、１２ｂ）が相対的に上下動することによりスラット（１４、１５）の傾斜を可変にするブラインドにおいて、
ラダーコード（１２）の各中段コード（１２ｃ）には上下２枚のスラット（１４、１５）が重ねて支持されており、該上下のスラット（１４、１５）はそれぞれ異なる曲率を有するものであることを特徴とするブラインド。
【請求項２】
前記上下のスラット（１４、１５）のうち、上側のスラット（１４）の曲率半径は、下側のスラット（１５）の曲率半径よりも大きいことを特徴とする請求項１記載のブラインド。
【請求項３】
ラダーコード（１２）によって複数のスラット（１４、１５）が上下方向に整列状態に支持され、ラダーコード（１２）の前後の垂直コード（１２ａ、１２ｂ）が相対的に上下動することによりスラット（１４、１５）の傾斜を可変にするブラインドにおいて、
ラダーコード（１２）の各中段コード（１２ｃ）には上下２枚のスラット（１４、１５）が重ねて支持されており、上側のスラット（１４）の下面及び下側のスラット（１５）の上面の少なくとも一方の面を非平滑面とすることを特徴とするブラインド。
【請求項４】
前記上下のスラット（１４、１５）のうち、一方のスラット（１４）にはその一縁側から伸びるスリット（１４ｂ）が形成され、スラット（１４）が傾斜したときに該スリット（１４ｂ）にラダーコード（１２）の一方の垂直コード（１２ａ）または中段コード（１２ｃ）が挿入し、一方のスラット（１４）が他方のスラット（１５）に対して滑り落ちることを特徴とする請求項１ないし３のいずれか１項に記載のブラインド。
【請求項５】
前記スラット（１４、１５）が一方向に最大傾斜したときに、各段の一方のスラット（１４）の下縁がその直ぐ下の段のスラット（１４）の表面に接することを特徴とする請求項４に記載のブラインド。
【発明の詳細な説明】
【０００１】
【発明の属する技術分野】
本発明は、ブラインドに関し、特に遮蔽性または気密性の高いブラインドに関する。
【０００２】
【従来の技術】
従来、この種のブラインドとしては、ヘッドボックスから垂下するラダーコードによって複数のスラットを整列状態に支持し、ラダーコードの前後の垂直コードが相対的に上下動することによりスラットの傾斜を可変にするブラインドにおいて、ラダーコードの各段に２枚のスラットが重ねて支持されており、一方のスラットのラダーコードに接する部分に切欠を形成して、スラット傾動時に該一方のスラットが他方のスラットに対して滑り落ちるようにしたものが知られている（特許文献１参照。）。
【０００３】
この特許文献１に記載のものでは、２枚のスラットが上下にずれて、各段の滑り落ちた一方のスラットの下縁が、直ぐ下の段のスラットの表面に接してスラット間の間隙を完全に閉鎖することができる。
【０００４】
【特許文献１】
実公昭６２−３６９４６号公報（第１欄２行ないし１２行、第３図ないし第５図）
【０００５】
【発明が解決しようとする課題】
しかしながら、かかる従来の公報に記載のものは、各中段コードに２枚の全く同じ形状のスラットが重ねて支持されている。そのために、２枚のスラット同士が完全に密着または吸着してしまい、スラットを傾動させても、一方のスラットが他方のスラットに対して滑り落ちず、完全に遮蔽できないという問題がある。
【０００６】
本発明はかかる課題に鑑みなされたもので、その目的は、確実に遮蔽性または気密性を発揮することができるブラインドを提供することである。
【０００７】
【課題を解決するための手段】
前述した目的を達成するために、請求項１記載の発明は、ラダーコードによって複数のスラットが上下方向に整列状態に支持され、ラダーコードの前後の垂直コードが相対的に上下動することによりスラットの傾斜を可変にするブラインドにおいて、
ラダーコードの各中段コードには上下２枚のスラットが重ねて支持されており、該上下のスラットはそれぞれ異なる曲率を有するものであることを特徴とする。
【０００８】
上側のスラットと下側のスラットの曲率が異なるために、上下のスラットが傾斜していない状態において、上下のスラットの接触を少なく両者の間に隙間を形成することができ、両者の間で発生する静電気力または油分、湿気による吸引力等の密着力または吸着力を小さくすることができる。このために、スラットが傾斜したときに、一方のスラットが他方のスラットに対して、円滑に滑り落ちることができる。
【０００９】
請求項２記載の発明は、請求項１記載のものにおいて、前記上下のスラットのうち、上側のスラットの曲率半径は、下側のスラットの曲率半径よりも大きいことを特徴とする。
【００１０】
上側のスラットと下側のスラットとが傾斜せずに重ね合わされたときに、その中心部のみが接触し、中心部に対してその両側が離反する。これにより、スラット同士の密着または吸着を防止することができ、一方のスラットが他方のスラットに対して、円滑に滑り落ちることができる。
【００１１】
請求項３記載の発明は、ラダーコードによって複数のスラットが上下方向に整列状態に支持され、ラダーコードの前後の垂直コードが相対的に上下動することによりスラットの傾斜を可変にするブラインドにおいて、
ラダーコードの各中段コードには上下２枚のスラットが重ねて支持されており、上側のスラットの下面及び下側のスラットの上面の少なくとも一方の面を非平滑面とすることを特徴とする。
【００１２】
上側のスラットの下面と下側のスラットの上面との少なくとも一方の面が非平滑面となっているために、上下のスラットが傾斜していない状態において、上下のスラットの接触を少なく両者の間に隙間を形成することができ、両者の間で発生する静電気力または油分、湿気による吸引力等の密着力または吸着力を小さくすることができる。このために、スラットが傾斜したときに、一方のスラットが他方のスラットに対して、円滑に滑り落ちることができる。
【００１３】
請求項４記載の発明は、請求項１ないし３のいずれか１項に記載のものにおいて、前記上下のスラットのうち、一方のスラットにはその一縁側から伸びるスリットが形成され、スラットが傾斜したときに該スリットにラダーコードの一方の垂直コードまたは中段コードが挿入し、一方のスラットが他方のスラットに対して滑り落ちることを特徴とする。
【００１４】
スラットが傾斜したときに、一方のスラットが他方のスラットに対して滑り落ちて、一方のスラットのスリットにラダーコードの一方の垂直コードまたは中段コードが挿入するので、ラダーコードの中段コードの長さ以上にスラットの幅を実質的に広げることができて、遮蔽性または密閉性を向上させることができる。
【００１５】
請求項５記載の発明は、請求項４記載の前記スラットが一方向に最大傾斜したときに、各段の一方のスラットの下縁がその直ぐ下の段のスラットの表面に接することを特徴とする。これにより、スラットが最大傾斜した状態で、上段のスラットと下段のスラットとの間に隙間が形成されずに、隙間を完全に閉鎖することができるので、遮蔽性及び気密性をさらに向上させることができる。
【００１６】
【発明の実施の形態】
以下、図面を用いて本発明の実施の形態を説明する。
【００１７】
図１は本発明の実施形態によるブラインドを表す全体図である。図において、１０はヘッドボックスであり、ヘッドボックス１０からはその長手方向に離間されて複数のラダーコード１２が垂下されている。
【００１８】
ラダーコード１２の上端は、ヘッドボックス１０内に設けられたスラット傾動装置に連結される。スラット傾動装置は図示を省略するが、例えば、ヘッドボックス１０内に長手方向に伸びて、回動可能に軸支されるシャフトと、ラダーコード１２の上端が巻き取り及び巻き解き可能に連結されるドラム等とから構成することができる。シャフトは回転伝達機構を介して、ヘッドボックス１０から垂下される操作棒２０に連結することができる。
【００１９】
ヘッドボックス１０から垂下される各ラダーコード１２は、上下方向に伸びる前後の垂直コード１２ａ、１２ｂと、上下方向に離間して複数設けられて、前後の垂直コード１２ａ、１２ｂを連結する中段コード１２ｃとから構成され、その下端はボトムレール１８に連結される。
【００２０】
ラダーコード１２の各中段コード１２ｃには、それぞれ２枚のスラット１４、１５が重ね合わされて載置され、これにより、２枚のスラット１４、１５毎に、複数のスラット１４、１５、１４、１５…が上下方向に整列状態に支持される。図４に示したように、スラット１４、１５には、その長手方向離間された適宜位置に、昇降コード挿通孔１４ａ、１５ａが形成されている。昇降コード挿通孔１４ａは昇降コード挿通孔１５ａよりも長さが長くなるように設定されている。また、上側のスラット１４のみには、ラダーコード１２と対応する位置に、その前縁側から前後方向に伸びるスリット１４ｂが形成されており、該スリット１４ｂにラダーコード１２の中段コード１２ｃ及び／または前側の垂直コード１２ａが挿入可能となっている。
【００２１】
各スラット１４、１５の昇降コード挿通孔１４ａ、１５ａを、昇降コード１６が挿通しており、昇降コード１６の一端はボトムレール１８に連結され、昇降コード１６の他端はヘッドボックス１０内へと導入されている。昇降コード１６を昇降させることにより、ボトムレール１８を昇降させて、それによって、上下方向に離間して整列された２枚毎のスラット１４、１５を順次昇降させることができるようにもなっている。
【００２２】
上側のスラット１４と下側のスラット１５は、通常のブラインドのスラットと同様に、側面から見た形状がＣ字形状をなしているが、そのＣ字形状の曲率は同じではなく、図２に示すように、上側のスラット１４が下側のスラット１５に比べて曲率半径が大きくなっており、上側のスラット１４と下側のスラット１５は重ね合わされているものの、図２に示したスラット１４、１５が傾斜していない水平状態において、現実に接触しているのは、その上側のスラット１４と下側のスラット１５の中心部のみであり、他の部分は接触せずにその間に隙間が形成されている。
【００２３】
以上のように構成されるブラインドにおいて、スラットを傾動させるべく、操作棒２０を操作すると、スラット傾動装置によって、ラダーコード１２の前側の垂直コード１２ａと後側の垂直コード１２ｂとが相対的に移動する。このとき、前側の垂直コード１２ａを後側の垂直コード１２ｂに対して相対的に下方に移動させると、図３に示す状態となり、中段コード１２ｃが前傾するために、スラット１４、１５も同様に前傾する。このとき、上側のスラット１４に形成されたスリット１４ｂに中段コード１２ｃまたは前側の垂直コード１２ａが進入するために、上側のスラット１４は、下側のスラット１５よりもより下方へと移動することができて、上側のスラット１４は下側のスラット１５に対して滑り落ちる。
【００２４】
このときに、上側のスラット１４と下側のスラット１５との間ではその一部が接触しているだけであり、両者の間で発生する静電気力または油分、湿気による吸引力等の密着力または吸着力は小さいために、上側のスラット１４が下側のスラット１５に対して円滑に移動することができる。
【００２５】
ラダーコード１２の中段コード１２ｃを最大限に前傾させてスラット１４、１５を全閉状態まで傾斜した状態で、上側のスラット１４の前端縁は、直ぐ下の段の上側のスラット１４の上面に接触するので、上段のスラットと下段のスラットとの間に隙間が形成されずに、該隙間を完全に閉鎖することができる。こうして、遮蔽性及び気密性を向上させることができる。
【００２６】
このように、スラット１４、１５が傾斜していない状態で、上側のスラット１４と下側のスラット１５との間がほとんど接触しておらず、隙間があるために、スラット１４、１５同士の密着・吸着を防ぐことができる。
【００２７】
図５は、他の変形例を表すもので、これは、上側のスラット１４と下側のスラット１５の曲率を同じにして、側面視のＣ字形状をほぼ同一にする代わりに、上側のスラット１４の下面または下側のスラット１５の上面の少なくとも一方の面を非平滑面とした例である。具体的には、上側のスラット１４の下面に複数のリブ１４ｃを設けている。このようにしても、スラット１４、１５が傾斜していない状態で、上側のスラット１４と下側のスラット１５との間でその一部が接触しているだけであるため、スラット１４、１５同士の密着または吸着を防ぐことができる。リブ１４ｃは、ほとんどの場合、スラット１５によって隠されているために、見栄えが悪化することもない。
【００２８】
同様に、上側のスラット１４の下面にリブ１４ｃを設ける代わりに、または上側のスラット１４の下面にリブ１４ｃを設けると共に、下側のスラット１５の上面にリブ１５ｃを設けることもできる（図６参照）。
【００２９】
尚、以上の実施形態においては、上側のスラット１４にスリット１４ｂを形成して、上側のスラット１４が下側のスラット１５に対して滑り落ちる例について説明したが、これに限るものではなく、下側のスラット１５にスリットを形成して、下側のスラット１５が上側のスラット１４に対して滑り落ちるようにしてもよい。
【００３０】
【発明の効果】
以上説明したように、本発明によれば、上下のスラットが傾斜していない状態において、上下のスラットの接触が少なく両者の間に隙間が形成されるので、両者の間で発生する静電気力または油分、湿気による吸引力等の密着力または吸着力を小さくすることができる。そのために、スラットが傾斜したときに、上下のスラットが密着または吸着することなく、一方のスラットが他方のスラットに対して、円滑に滑り落ちることができ、これにより、スラットが傾斜したときのブラインドの遮蔽性、密閉性を向上させることができる。
【図面の簡単な説明】
【図１】本発明の実施形態によるブラインドを表す全体斜視図である。
【図２】本発明の実施形態によるブラインドの一部の側面図であり、スラットが傾斜していない状態を表す。
【図３】本発明の実施形態によるブラインドの一部の側面図であり、スラットが最大傾斜した全閉状態を表す。
【図４】本発明の実施形態によるブラインドの互いに重なり合う２枚のスラットのそれぞれの部分平面図である。
【図５】本発明の変形例によるブラインドの一部の側面図であり、スラットが傾斜していない状態を表す。
【図６】本発明の他の変形例によるブラインドの一部の側面図であり、スラットが傾斜していない状態を表す。
【符号の説明】
１２  ラダーコード
１２ａ、１２ｂ  垂直コード
１２ｃ  中段コード
１４、１５  スラット
１４ｂ  スリット
【図１】
2004278075.tif 000003
【図２】
2004278075.tif 000004
【図３】
2004278075.tif 000005
【図４】
2004278075.tif 000006
【図５】
2004278075.tif 000007
【図６】
2004278075.tif 000008